(57)【要約】【課題】環境試験槽の有負荷運転時に最適な温度分布を速やかに実現できる風向制御構造に関するものである。【解決手段】供試品の周辺に設置した複数の温度センサまたは湿度センサと、該センサによって得られた温度分布または湿度分布を表示する外部表示部と、送風源の吹出し口に設けられて、風向きを上下方向に調整可能な第１風向板と、風向きを左右方向に調整可能な第２風向板と、該第１風向板と第２風向板との風向姿勢をそれぞれ個別に調整するアクチュエータと、該アクチュエータに連結されて、環境試験槽の外壁に設けられた操作部とからなることを特徴とする。【選択図】図１
2013096957.tif 000002
【特許請求の範囲】
【請求項１】
供試品の周辺に設置した複数の温度センサまたは湿度センサと、
該センサによって得られた温度分布または湿度分布を表示する外部表示部と、
送風源の吹出し口に設けられて、風向きを上下方向に調整可能な第１風向板と、風向きを左右方向に調整可能な第２風向板と、
該第１風向板と第２風向板との風向姿勢をそれぞれ個別に調整するアクチュエータと、
該アクチュエータに連結されて、環境試験機の外壁に設けられた操作部とからなることを特徴とする環境試験機の風向制御構造。
【請求項２】
第１風向板及び第２風向板のそれぞれが、略平行に配置された複数の羽板からなっており、
アクチュエータが、リンク部材を介して複数の風向板の全部又は一部を連動して風向姿勢を調整しうることを特徴とする請求項１に記載の環境試験機の風向制御構造。
【請求項３】
操作部を軸方向に進退動させることで第２風向板の風向姿勢を左右に変位させ、操作部を時計方向または反時計方向に回転させることで第１風向板の風向姿勢を上下に変位させるようになっていることを特徴とする請求項１に記載の環境試験機の風向制御構造。
【請求項４】
アクチュエータが、操作部と切換手段を介して接続されており、切換手段の切換によりアクチュエータを操作部と切り離して自動制御手段と接続しうるようになっていることを特徴とする請求項１から３のいずれかに記載の環境試験機の風向制御構造。
【発明の詳細な説明】
【技術分野】
【０００１】
本発明は、環境試験槽の有負荷運転時に最適な温度分布を速やかに実現できる風向制御構造に関するものである。
【背景技術】
【０００２】
供試品を試験槽内に配置する際、供試品の周囲温湿度のばらつきが最小となる様、試験槽内の循環風の向きを調整する場合がある。
代表的な例として、環境試験槽内に設置した供試品の周辺に、複数本の温度センサを配置しておき、それらの温度センサが示す温度のばらつきが最小となるように、マニュアル作業で直接に環境試験槽内の吹出し口に設置した風向板の向きを調整し、または、供試品の設置揚所を移動するなどの方法などが用いられている。
しかしながら、これらの方法では、マニュアル作業の都度、環境試験槽内を密閉するための扉を開閉する必要があるため、扉を開閉するたびに環境試験槽内の温湿度の放出と外気の流入が行われて、環境試験槽内の温湿度が乱れてしまい、調整結果の良否を判断するためには、環境試験槽内の温湿度が再び安定するまで待機する必要があり、この場合も時間のかかる作業となっていた。
【０００３】
【先行技術文献】
【特許文献】
【０００４】
【特許文献１】特開２００１−１７８６８号公報
【発明の概要】
【発明が解決しようとする課題】
【０００５】
この発明の解決しようとする問題点は、環境試験槽の扉を開けずに、環境試験槽内の風向を変化させ、外部と環境試験槽間の温湿度の移動を防いで、短時間のうちに供試品の周囲温湿度のばらつきが最小となるようにして、調整時問の短縮化を図ることにある。
【課題を解決するための手段】
【０００６】
本発明は、前記課題を解決するために請求項１の発明では、
供試品の周辺に設置した複数の温度センサまたは湿度センサと、
該センサによって得られた温度分布または湿度分布を表示する外部表示部と、
送風源の吹出し口に設けられて、風向きを上下方向に調整可能な第１風向板と、風向きを左右方向に調整可能な第２風向板と、
該第１風向板と第２風向板との風向姿勢をそれぞれ個別に調整するアクチュエータと、
該アクチュエータに連結されて、環境試験槽の外壁に設けられた操作部とからなることを特徴とする。
請求項２の発明では、
第１風向板及び第２風向板のそれぞれが、略平行に配置された複数の羽板からなっており、
アクチュエータが、リンク部材を介して複数の風向板の全部又は一部を連動して風向姿勢を調整しうることを特徴とする。
請求項３の発明では、
操作部を軸方向に進退動させることで第２風向板の風向姿勢を左右に変位させ、操作部を時計方向または反時計方向に回転させることで第１風向板の風向姿勢を上下に変位させるようになっていることを特徴とする。
請求項４の発明では、アクチュエータが、操作部と切換手段を介して接続されており、切換手段の切換によりアクチュエータを操作部と切り離して自動制御手段と接続しうるようになっていることを特徴とする。
【発明の効果】
【０００７】
本発明の環境試験槽の風向制御構造では、環境試験槽の扉を開くことなく、外部に設けられた操作部を操作しながら、アクチュエータを介して第１風向板または第２風向板の風向姿勢を変化させて、供試体の周辺の温度分布または湿度分布のばらつきが最小となるように調整することができる。
【図面の簡単な説明】
【０００８】
【図１】実施例１の風向調整手段の模式図である。
【図２】実施例２の風向調整手段の模式図である。
【図３】実施例３の風向調整手段の模式図である。
【図４】環境試験機の試験室と空調室を示す断面図である。
【図５】環境試験機の外観を示す斜視図である。
【図６】支持枠体と一体に形成した風向調整手段の斜視図である。
【図７】実施例４の風向調整手段のブロック図である。
【発明を実施するための形態】
【０００９】
外部に設けられた操作部を操作しながら、アクチュエータを介して第１風向板または第２風向板の風向姿勢を変化させて、供試体の周辺の温・湿度分布のばらつきの短時間での調整を実現した。
以下にこの発明を恒温恒湿試験を行う環境試験機に適用した場合の好適実施例について図面を参照しながら説明する。
【実施例１】
【００１０】
［環境試験機］
環境試験機１は、図４及び図５に一例を示すように、供試体を出入する扉２を備えたハウジング１０内に、供試体を載置する支持台３を有し供試体の環境テストを行う試験室４と、該試験室４と隔壁６で仕切られると共に、送風口６ａと導入口６ｂとを介して連通された空調室５とを設け、該空調室５内に加熱装置の加熱ヒーター５ａ、冷却装置の冷却コイル５ｂ、加湿装置の加湿器５ｃを備え、送風源となる送風機７によって前記送風口６ａから所定の温度およびまたは湿度の雰囲気を試験室４内に送り出して、試験室４を予め設定した恒温または恒湿に所定時間制御する構成からなっている。
この環境試験機１には、試験室４に吸排気口と冷凍機を備えた機械室１１と、制御パネルを有し、これら温・湿度の制御を行う制御部（図示省略）とが一体に設けられている。なお、図示例では制御部に接続された外部表示部Ｄが扉２に設けられている。
【００１１】
前記空調室５上部の送風口６ａの近傍には、空調室５から試験室４に送り出される雰囲気の温度や湿度を計測する第１センサＳ１が設けられている。
本実施例では、更に、試験室４内で、支持台３の供試体の載置位置の近傍に、供試体の周囲の温度およびまたは湿度を計測するための第２センサＳ２が設置されている。
【００１２】
上記第１、第２センサＳ１、Ｓ２の計測データは、計測用の制御部に入力され、前記第２センサＳ２を複数設けた場合には第２センサ間の計測値を比較し、または第２センサＳ２と第１センサＳ１間の計測値を比較することで、空調室５から送り出された雰囲気の支持台３上の供試体の周囲における温度や湿度のばらつきの程度を測定して、前記外部表示部Ｄに表示する。
【００１３】
［風向調整手段］
風向調整手段９は、送風器７に直接、または前記送風口６ａの送風通路に設けられている。
この風向調整手段９は、図１に例示するように、風向きを上下方向に調整可能な第１風向板２０と、風向きを左右方向に調整可能な第２風向板３０と、該第１風向板２０と第２風向板３０との風向姿勢をそれぞれ個別に調整するアクチュエータ１７と、該アクチュエータ１７に連結されて、環境試験機１のハウジング１０外壁に設けられた操作部１５とからなっている。
【００１４】
［第１風向板］
第１風向板２０は、横方向に延びる羽板２１を上下に平行に複数配列しており、各羽板２１は左右に延びる軸部２２により送風口６ａに設けられた枠状支持体９Ａの左右の側壁に軸支され、該軸部２２を中心に上下方向に傾動可能となっている。
【００１５】
そして，各羽板２１は、その全体、または一部がリンク部材２３によって連動可能に連結されており、該リンク部材２３に連結されたアクチュエータ１７によって上下方向に傾動させることができる。
上記実施例では、複数の羽板２１を同時に連動させる構成を例示したが、各羽板２２を個別に傾動させる構成としてもよい。
【００１６】
［第２風向板］
第２風向板３０は、縦方向に延びる羽板３１を左右に平行に複数配列しており、各羽板３１は上下に延びる軸部３２により送風口に設けられた枠状支持体９Ａの上下の周壁に軸支され、該軸部３２を中心に左右方向に傾動可能となっている。
【００１７】
そして，各羽板３１は、その全体、または一部がリンク部材３３によって連動可能に連結されており、該リンク部材３３に連結されたアクチュエータ１７によって左右方向に傾動させることができる。
上記実施例では、複数の羽板３１を同時に連動させる構成を例示したが、各羽板３２を個別に傾動させる構成としてもよい。
【００１８】
なお、本実施例では、第１風向板２０の各羽板２１に形成された略扇状の孔部２４内に、第２風向板３０の羽板３１が貫通しており、第２風向板３０の各羽板３１は第１風向板２０の羽板２１の動きと関係なく前記孔部２４内で左右方向に傾動することができる。
即ち、第１風向板２０の羽板２１は第２風向板３０の羽板３１を貫挿した状態で上下方向に傾動することができるように前記孔部２４の形状が設定されているので、孔部２４の範囲内でそれぞれ独立して傾動させることができるようになっている。
【実施例２】
【００１９】
上記実施例では、第１風向板２０の羽板２１に第２風向板３０の羽板３１が貫通した組合せ構成を例示したが、両者が別々に分離している構成でもよい。
例えば、図２では第２風向板３０は羽板３１を一体とし、他方、第１風向板２０は、羽板２１を第２風向板３０の羽板３１間で分割された羽板構成片２１’としてもよい。
【００２０】
また、第２風向板３０と第１風向板２０との構成を逆にし、第１風向板２０は各羽板２１を分割せずに一体とし、第２風向板３０の羽板３１は、第１風向板２０の羽板２１間で分割された羽板構成片としてもよい（図示せず）。
また、図示しないが、リンク部材２３、３３はそれぞれの風向板の羽板や羽板構成片に一連に連結されている点は前記実施例１と同様であるので、説明を省略する。
【実施例３】
【００２１】
また、図３に示すように、第１風向板２０または第２風向板３０を構成する一部の複数の羽板２１（３１）のグループ毎に異なる向きの複数（図示例では２つ）のリンク部材２３と２３’（３３と３３’）と連結してもよく、羽板２１（３１）をグループ毎に、異なる方向に羽板の向きを変えるようにして、微調整できるようにしてもよい。
その他の構成は、前記実施例１または２に準じるので、その説明を省略する。
【００２２】
上記各実施例のリンク部材２３は、アクチュエータ１７を介して操作部１５と連結される(図１、図２参照）。
実施例１、２の図面を参照しながら説明すると、操作部１５は先端が円盤状となっており、該操作部１５を軸方向に牽引してアクチュエータ１７を介して、第２風向板３０の羽板３１に連結されたリンク部材３３を軸方向に進退動させて前記羽板３１を左右方向の所望の角度に傾動変位させ、また操作部１５を回転させて、アクチュエータ１７を介して、第１風向板２０の羽板２１に連結されたリンク部材２３を軸部２２を中心にして正逆に回転させて前記羽板２１を上下方向の所望の角度に傾動変位させることができる。
【００２３】
従って、オペレータは、外部表示部Ｄに表示された温度や湿度のばらつき状況を見ながら、図５に示したように、ハウジング１０外部に設けられた操作部１５を手作業で細かく操作することで、ハウジング１０の扉２を開くことなく試験室４の断熱、密閉状態を保ったままで、第１風向板２０およびまたは第２風向板３０を微調整することができる。
これにより、簡単な構成で、供試体の形状や、テスト位置などの具体的条件に合わせて、供試体の周辺の温度や湿度のばらつきを短時間で最小に調整することができる。
【００２４】
ここで、図６には、前記実施例の第１風向板２０と第２風向板３０とを枠状支持体となるケーシング９Ａに収納してカセット構造とした例を示す。
上記構成とすることで、ケーシング９Ａごと内部に挿入することができるので、環境試験機に簡単に取り付けることができる。
【実施例４】
【００２５】
第１風向板２０または第２風向板３０は、前記計測された温度や湿度のばらつきに基づいて、コンピュータにより第１風向板２０または第２風向板３０を制御する公知の自動制御する構成と併用することができ、その場合は、切換手段４０を設けて、操作部１５によるマニュアル操作による調整と、自動制御部による自動調整とを択一的に選択できるようにしてもよい。
その他、要するにこの発明の要旨を変更しない範囲で種々設計変更しうること勿論である。
【符号の説明】
【００２６】
１    環境試験機
２    扉
３    支持台
Ｓ    供試体
４    試験室
５    空調室
５ａ  加熱ヒータ
５ｂ  冷却コイル
５ｃ  加湿器
６    隔壁
６ａ  送風口
６ｂ  導入口
７    送風器
８    ばらつき計測手段
９    風向調整手段
９Ａ  枠状支持体
１０    ハウジング
１１    機械室
１２    制御室
１５    操作部
１７    アクチュエータ
２０    第１風向板
２１    羽板
２２    軸部
２３    リンク部材
２４    孔部
３０    第２風向板
３１    羽板
３２    軸部
３３    リンク部材
４０    切換手段
Ｄ    外部表示部
Ｓ１  第１センサ
Ｓ２  第２センサ
【図１】
2013096957.tif 000003
【図２】
2013096957.tif 000004
【図３】
2013096957.tif 000005
【図４】
2013096957.tif 000006
【図５】
2013096957.tif 000007
【図６】
2013096957.tif 000008
【図７】
2013096957.tif 000009